(57)【特許請求の範囲】
【請求項１】
電流駆動による画素をマトリックス状に配置してなる表示部と、前記表示部を駆動する駆動回路とを有するディスプレイ装置において、
前記画素が、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
一端を前記トランジスタのゲートに接続したカップリング用のコンデンサと、
前記カップリング用のコンデンサの他端を信号線に接続する信号線用のスイッチ回路と、
前記トランジスタのソースを所定の基準電圧に接続するソース側基準電圧用のスイッチ回路と、
前記トランジスタのゲートドレインを短絡させる短絡用のスイッチ回路と、
前記カップリング用のコンデンサの前記他端を所定の基準電圧に接続するコンデンサ側基準電圧用のスイッチ回路と、
前記トランジスタへの電源の供給を停止する電源用のスイッチ回路とを有し、
前記駆動回路は、
前記信号線のスイッチ回路の駆動により、前記カップリング用のコンデンサを介して前記信号線の信号レベルにより前記信号レベル保持用のコンデンサの端子電圧を設定し、該信号レベル保持用のコンデンサの端子間電圧によるゲートソース間電圧により前記トランジスタで前記発光素子を電流駆動し、
前記信号レベル保持用のコンデンサの前記端子電圧の設定において、
前記電源用のスイッチ回路をオフ状態に設定する前に、前記コンデンサ側基準電圧用のスイッチ回路、前記短絡用のスイッチ回路、前記ソース側基準電圧用のスイッチ回路をオン状態に設定し、
前記電源用のスイッチ回路をオフ状態に設定した後、前記コンデンサ側基準電圧用のスイッチ回路、前記短絡用のスイッチ回路、前記ソース側基準電圧用のスイッチ回路をオフ状態に設定すると共に、前記信号線のスイッチ回路をオン状態に設定することにより、
前記信号レベル保持用のコンデンサの端子間電圧を前記トランジスタのしきい値電圧以上に立ち上げてから、前記信号レベル保持用のコンデンサの端子間電圧を前記トランジスタのしきい値電圧に設定すると共に、前記信号レベル保持用のコンデンサの前記トランジスタのソース側端を一定電位に設定した後、
前記信号線の信号レベルにより、前記信号レベル保持用のコンデンサの端子電圧を設定し、
前記コンデンサ側基準電圧用のスイッチ回路、前記短絡用のスイッチ回路、前記ソース側基準電圧用のスイッチ回路のオンオフ制御を、同一の制御信号により実行する
ことを特徴とするディスプレイ装置。
【請求項２】
前記トランジスタ、前記各スイッチ回路がｎチャンネルＭＯＳ型のトランジスタにより形成された
ことを特徴とする請求項１に記載のディスプレイ装置。
【請求項３】
電流駆動による画素をマトリックス状に配置してなるディスプレイ装置において、
前記画素が、
発光素子と、
ゲートソース間に信号レベル保持用のコンデンサを保持し、信号線の信号レベルにより設定された前記信号レベル保持用のコンデンサの端子間電圧によるゲートソース間電圧により前記発光素子を駆動するソースフォロワ回路によるトランジスタと、
一端を前記トランジスタのゲートに接続したカップリング用のコンデンサと、
前記トランジスタのソースを一時的に所定の基準電圧に接続することにより、前記信号レベル保持用のコンデンサのソース側端を一定電圧に設定するソース側基準電圧用のスイッチ回路と、
前記ソース側基準電圧用のスイッチ回路と同一の制御信号により動作して、前記カップリング用のコンデンサの他端を所定の基準電圧に接続するコンデンサ側基準電圧用のスイッチ回路と、
前記ソース側基準電圧用のスイッチ回路と同一の制御信号により動作して、前記トランジスタのゲートドレインを短絡させる短絡用のスイッチ回路と、
前記短絡用のスイッチ回路による基準電圧への接続に応動して、前記トランジスタへの電源の供給を停止し、前記信号線の信号レベルによる前記信号レベル保持用のコンデンサの端子電圧の設定により前記トランジスタへの電源の供給を開始する電源用のスイッチ回路と、
前記電源用のスイッチ回路による電源の供給が停止される前に、前記ソース側基準電圧用のスイッチ回路、前記コンデンサ側基準電圧用のスイッチ回路、前記短絡用のスイッチ回路がオン状態に設定され、その後、前記電源用のスイッチ回路による電源の供給を停止することにより、前記信号レベル保持用のコンデンサの端子間電圧を前記トランジスタのしきい値電圧以上に立ち上げてから、前記信号レベル保持用のコンデンサの端子間電圧を前記トランジスタのしきい値電圧に設定すると、前記カップリング用のコンデンサの他端を信号線に接続し、前記カップリング用のコンデンサを介して前記信号レベル保持用のコンデンサの端子電圧を前記信号線の信号レベルにより設定する信号線用のスイッチ回路と
を備えることを特徴とするディスプレイ装置。
【請求項４】
前記トランジスタ、前記各スイッチ回路がｎチャンネルＭＯＳ型のトランジスタにより形成された
ことを特徴とする請求項３に記載のディスプレイ装置。
【請求項５】
有機ＥＬ素子による画素をマトリックス状に配置してなるディスプレイ装置において、
前記画素が、
前記有機ＥＬ素子と、
ゲートソース間に信号レベル保持用のコンデンサを保持し、信号線の信号レベルにより設定された前記信号レベル保持用のコンデンサの端子間電圧によるゲートソース間電圧により前記有機ＥＬ素子を駆動するソースフォロワ回路によるトランジスタと、
一端を前記トランジスタのゲートに接続したカップリング用のコンデンサと、
前記トランジスタのソースを一時的に所定の基準電圧に接続することにより、前記信号レベル保持用のコンデンサのソース側端を一定電圧に設定するソース側基準電圧用のスイッチ回路と、
前記ソース側基準電圧用のスイッチ回路と同一の制御信号により動作して、前記カップリング用のコンデンサの他端を所定の基準電圧に接続するコンデンサ側基準電圧用のスイッチ回路と、
前記ソース側基準電圧用のスイッチ回路と同一の制御信号により動作して、前記トランジスタのゲートドレインを短絡させる短絡用のスイッチ回路と、
前記短絡用のスイッチ回路による基準電圧への接続に応動して、前記トランジスタへの電源の供給を停止し、前記信号線の信号レベルによる前記信号レベル保持用のコンデンサの端子電圧の設定により前記トランジスタへの電源の供給を開始する電源用のスイッチ回路と、
前記電源用のスイッチ回路による電源の供給が停止される前に、前記ソース側基準電圧用のスイッチ回路、前記コンデンサ側基準電圧用のスイッチ回路、前記短絡用のスイッチ回路がオン状態に設定され、その後、前記電源用のスイッチ回路による電源の供給を停止することにより、前記信号レベル保持用のコンデンサの端子間電圧を前記トランジスタのしきい値電圧以上に立ち上げてから、前記信号レベル保持用のコンデンサの端子間電圧を前記トランジスタのしきい値電圧に設定すると、前記カップリング用のコンデンサの他端を信号線に接続し、前記カップリング用のコンデンサを介して前記信号レベル保持用のコンデンサの端子電圧を前記信号線の信号レベルにより設定する信号線用のコンデンサと
を備えることを特徴とするディスプレイ装置。
【請求項６】
前記トランジスタ、前記各スイッチ回路がｎチャンネルＭＯＳ型のトランジスタにより形成された
ことを特徴とする請求項５に記載のディスプレイ装置。
【請求項７】
電流駆動による画素をマトリックス状に配置してなる表示部を有するディスプレイ装置の駆動方法において、
前記画素が、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
一端を前記トランジスタのゲートに接続したカップリング用のコンデンサと、
前記カップリング用のコンデンサの他端を信号線に接続する信号線用のスイッチ回路と、
前記トランジスタのソースを所定の基準電圧に接続するソース側基準電圧用のスイッチ回路と、
前記トランジスタのゲートドレインを短絡させる短絡用のスイッチ回路と、
前記カップリング用のコンデンサの前記他端を所定の基準電圧に接続するコンデンサ側基準電圧用のスイッチ回路と、
前記トランジスタへの電源の供給を停止する電源用のスイッチ回路とを有し、
前記ディスプレイ装置の駆動方法は、
前記信号線のスイッチ回路の駆動により、前記カップリング用のコンデンサを介して前記信号線の信号レベルにより前記信号レベル保持用のコンデンサの端子電圧を設定し、該信号レベル保持用のコンデンサの端子間電圧によるゲートソース間電圧により前記トランジスタで前記発光素子を電流駆動し、
前記信号レベル保持用のコンデンサの前記端子電圧の設定において、
前記電源用のスイッチ回路をオフ状態に設定する前に、前記コンデンサ側基準電圧用のスイッチ回路、前記短絡用のスイッチ回路、前記ソース側基準電圧用のスイッチ回路をオン状態に設定し、
前記電源用のスイッチ回路をオフ状態に設定した後、前記コンデンサ側基準電圧用のスイッチ回路、前記短絡用のスイッチ回路、前記ソース側基準電圧用のスイッチ回路をオフ状態に設定すると共に、前記信号線のスイッチ回路をオン状態に設定することにより、
前記信号レベル保持用のコンデンサの端子間電圧を前記トランジスタのしきい値電圧以上に立ち上げてから、前記信号レベル保持用のコンデンサの端子間電圧を前記トランジスタのしきい値電圧に設定すると共に、前記信号レベル保持用のコンデンサの前記トランジスタのソース側端を一定電位に設定した後、
前記信号線の信号レベルにより、前記信号レベル保持用のコンデンサの端子電圧を設定し、
前記コンデンサ側基準電圧用のスイッチ回路、前記短絡用のスイッチ回路、前記ソース側基準電圧用のスイッチ回路のオンオフ制御を、同一の制御信号により実行する
ことを特徴とするディスプレイ装置の駆動方法。
【発明の詳細な説明】
【技術分野】
【０００１】
本発明は、ディスプレイ装置及びディスプレイ装置の駆動方法に関し、例えば有機ＥＬ（Electro Luminescence）素子によるディスプレイ装置に適用することができる。本発明は、ソースフォロワ回路構成により発光素子を電流駆動するトランジスタに対して、このトランジスタのゲートソース間に設けられた信号レベル保持用のコンデンサにトランジスタのしきい値電圧を設定した後、信号線の信号レベルを設定することにより、トランジスタのばらつきを補正して階調を設定するようにして、このコンデンサへのしきい値電圧の設定に供する複数のスイッチ回路を１つの制御信号により制御することにより、ソースフォロワ回路構成により発光素子を電流駆動するトランジスタに補正回路を設ける場合に、走査線の数を少なくすることができるようにする。
【背景技術】
【０００２】
従来、有機ＥＬの表示装置においては、例えばＵＳＰ５，６８４，３６５、特開平８−２３４６８３号公報等にディスプレイ装置への応用が種々に提案されるようになされている。
【０００３】
すなわち図７に示すように、この種のディスプレイ装置１において、表示部２は、マトリックス状に配置されてなる画素（ＰＸ）３に対して、走査線ＳＣＮがライン単位で水平方向に設けられ、またこの走査線ＳＣＮと直交するように信号線ＳＩＧが各列毎に垂直方向に設けられる。このようにして形成されてなる表示部２に対して、ディスプレイ装置１は、垂直駆動回路４により走査線ＳＣＮを駆動して順次ライン単位で表示部２の画素３を選択すると共に、この画素３の選択に対応するように水平駆動回路５により信号線ＳＩＧを駆動して各画素３の階調を設定するようになされている。
【０００４】
このため垂直駆動回路４は、ライトスキャン回路（ＷＳＣＮ）４Ａにより、各画素３への書き込みをライン単位で順次指示する書き込み信号ｗｓを生成し、この書き込み信号ｗｓを走査線ＳＣＮに出力して各画素３における階調の設定を制御するようになされている。また水平駆動回路５は、各画素３の階調を指示する階調データＤ１に応じて駆動信号を生成し、この駆動信号を水平セレクタ（ＨＳＥＬ）５Ａにより各信号線ＳＩＧに振り分けて出力し、これらによりディスプレイ装置１は、ライン単位で各画素３の階調を設定するようになされている。
【０００５】
有機ＥＬのディスプレイ装置においては、このようにして駆動される各画素３が、電流駆動による自発光型の素子である有機ＥＬ素子と、この有機ＥＬ素子を駆動する各画素の駆動回路（以下、画素回路と呼ぶ）とにより形成されるようになされている。
【０００６】
しかしてこのようにして形成されるディスプレイ装置においては、ｎチャンネルＭＯＳ型のＴＦＴ（Thin Film Transistor）により各画素回路を形成することにより、また有機ＥＬ素子のアノードをトランジスタに接続してこのトランジスタにより電流駆動することにより、アモルファスシリコンのプロセスを適用して有機ＥＬ素子と画素回路とをガラス基板上に一体に形成することができ、これにより図８に示すように、ソースフォロワ回路構成により有機ＥＬ素子１２を駆動することが考えられる。
【０００７】
すなわちこの図８に示すディスプレイ装置１１は、各画素３において、有機ＥＬ素子１２のアノードにソースを接続してなるソースフォロワ回路構成のトランジスタＴＲ２により有機ＥＬ素子１２を電流駆動するように形成され、このトランジスタＴＲ２のゲートに信号レベル保持用のコンデンサＣ１が設けられる。ここでこの信号レベル保持用のコンデンサＣ１は、一端がトランジスタＴＲ２のゲートに接続され、他端が基準電圧に接続され、この図８の例では、この基準電圧が電源電圧Ｖｃｃに設定される。ディスプレイ装置１１は、垂直駆動回路４に設けたライトスキャン回路４Ａから書き込み信号ｗｓを出力するようにして、この書き込み信号ｗｓによりオン動作するトランジスタＴＲ１によるスイッチ回路により、この信号レベル保持用のコンデンサＣ１が信号線ＳＩＧに接続され、これにより書き込み信号ｗｓに応動して信号線ＳＩＧに出力される駆動信号の信号レベルによりトランジスタＴＲ２のゲート電圧Ｖｇが設定される。これによりこのディスプレイ装置１１は、このように設定されたゲート電圧Ｖｇに応じた電流により有機ＥＬ素子１２を駆動し、階調データＤ１に応じた階調により各画素３の有機ＥＬ素子１２を発光させて所望の画像を表示できるようになされている。
【０００８】
しかしながら有機ＥＬ素子においては、図９に示すように、使用により電流が流れ難くなる方向に電流電圧特性が変化する。なおこの図９及び図１０において、符号Ｌ１が初期の特性を示し、符号Ｌ２が経時変化による特性を示すものである。これに対して図８について上述したソーフフォロワ回路による駆動においては、図１０に示すように、トランジスタＴＲ２のドレインソース間電圧Ｖｄｓ−ドレインソース電流Ｉｄｓの特性曲線に対して、負荷による特性曲線が交差してなる交点が動作点となる。これにより有機ＥＬ素子において、電圧電流特性が変化すると、その分、有機ＥＬ素子に流れる電流が減少し、これらにより各画素の輝度が徐々に低下して画質が劣化する欠点がある。
【０００９】
この欠点を解消する１つの方法として、このようなゲート電圧Ｖｇによる階調の設定に代えてゲートソース間電圧Ｖｇｓによる階調の設定により有機ＥＬ素子１２の駆動電流を制御する方法が考えられる。すなわちＴＦＴのドレイン電流Ｉｄｓにおいては、（１／２）×μ×（Ｗ／Ｌ）Ｃｏｘ（Ｖｇｓ−Ｖｔｈ）２ ……（１）により表され、これによりゲートソース間電圧Ｖｇｓによる階調の設定により経時変化による駆動電流の変化を防止することができる。ここでμはキャリアの移動度、Ｗはゲート幅、Ｌはゲート長、Ｃｏｘは単位面積当たりのゲート容量、Ｖｔｈはしきい値電圧である。
【００１０】
しかしながらこのようにゲートソース間電圧Ｖｇｓにより階調を設定する場合、（１）式より明らかなように、有機ＥＬ素子を駆動するトランジスタのしきい値電圧Ｖｔｈがばらつくと、その分、各画素における駆動電流がばらつくようになり、これにより画質が劣化する欠点がある。これによりさらにこの欠点を解消する方法として、階調設定に供する信号レベル保持用のコンデンサに、事前に、トランジスタのしきい値電圧Ｖｔｈを設定し、このしきい値電圧により信号レベル保持用のコンデンサの端子電圧を補正することが考えられる。
【００１１】
図１１は、図８との対比により、これらの欠点の解消方法に係るディスプレイ装置を示すブロック図である。このディスプレイ装置３１では、各画素３３において、トランジスタＴＲ２のゲートドレイン間への信号レベル保持用のコンデンサＣ１の配置に代えて、このトランジスタＴＲ２のゲートソース間に信号レベル保持用のコンデンサＣｓ２を配置し、この信号レベル保持用のコンデンサＣｓ２の端子電圧を信号線ＳＩＧの信号レベルにより設定する。またドライブスキャン信号ｄｓによりオン動作するトランジスタＴＲ３によるスイッチ回路をトランジスタＴＲ２のソースに接続し、信号レベル保持用のコンデンサＣｓ２の端子電圧を信号線ＳＩＧの信号レベルにより設定する際に、このトランジスタＴＲ３により信号レベル保持用のコンデンサＣｓ２のソース側端を一定電位に保持する。なお図８においては、この一定電位がアース電位の場合である。
【００１２】
これによりトランジスタＴＲ２においては、信号レベル保持用のコンデンサＣｓ２に保持された端子間電圧によるゲートソース間電圧Ｖｇｓにより有機ＥＬ素子１２を駆動し得、有機ＥＬ素子１２の電圧電流特性が経時変化した場合であっても、この経時変化による駆動電流の変化を防止して画質劣化を防止することができる。
【００１３】
このようなゲートソース間電圧Ｖｇｓの設定により階調を設定するようにして、このディスプレイ装置３１は、この信号レベル保持用のコンデンサＣｓ２とトランジスタＴＲ１の間に、カップリング用のコンデンサＣｓ１を設け、このカップリング用のコンデンサＣｓ１を介して信号線ＳＩＧの信号レベルＶｉｎにより信号レベル保持用のコンデンサＣｓ２の端子電圧を設定する。しかしてこの場合、コンデンサＣｓ１を介した信号線ＳＩＧへの接続により信号レベル保持用のコンデンサＣｓ２の端子間電圧は、信号線ＳＩＧの信号レベルＶｉｎをコンデンサＣｓ１、Ｃｓ２により分圧した電圧ΔＶｉｎ＝Ｖｉｎ（Ｃｓ１／（Ｃｓ１＋Ｃｓ２））……（２）だけ上昇することになる。これによりこの関係式を考慮して、水平駆動回路３５により信号線ＳＩＧが駆動される。
【００１４】
またディスプレイ装置３１は、トランジスタＴＲ２への電源Ｖｃｃの供給を停止するトランジスタＴＲ４によるスイッチ回路、トランジスタＴＲ２のゲートドレイン間を短絡させてトランジスタＴＲ２をダイオード接続に切り換えるトランジスタＴＲ５によるスイッチ回路、コンデンサＣｓ１のトランジスタＴＲ１側端を基準電圧に接続するトランジスタＴＲ６によるスイッチ回路が設けられる。なおこのトランジスタＴＲ６に係る基準電圧にあっても、このディスプレイ装置３１ではアース電位に設定される。
【００１５】
これらによりディスプレイ装置３１は、図１２及び図１３（Ａ）に示すように、信号レベル保持用のコンデンサＣｓ２によるゲートソース間電圧ＶｇｓによりトランジスタＴＲ２で有機ＥＬ素子１２を電流駆動し、書き込み信号ｗｓにより画素３３の階調を設定する直前で、トランジスタＴＲ２に電源Ｖｃｃを供給した状態で、制御信号ａｚによりトランジスタＴＲ５をオン状態に設定してトランジスタＴＲ２をダイオード接続すると共に、カップリング用のコンデンサＣｓ１の信号線側端を所定の基準電位に設定する（図１２（Ａ）、（Ｂ）及び図１３（Ｂ））。その後、トランジスタＴＲ４によりトランジスタＴＲ２への電源Ｖｃｃの供給を停止すると共に、トランジスタＴＲ３によりトランジスタＴＲ２のソースを基準電圧に接続する（図１２（Ｃ）、（Ｄ）及び図１３（Ｃ））。これによりこのディスプレイ装置３１では、それまで信号レベル保持用のコンデンサＣｓ２の端子間電圧がトランジスタＴＲ２のしきい値電圧Ｖｔｈ以下の場合であっても、トランジスタＴＲ２のしきい値電圧Ｖｔｈ以上に、一旦、トランジスタＴＲ２のゲートソース間電圧Ｖｇｓを立ち上げた後、しきい値電圧Ｖｔｈに収束させるようになされ、これにより信号レベル保持用のコンデンサＣｓ２にトランジスタＴＲ２のしきい値電圧Ｖｔｈを設定するようになされている。（図１２（Ｅ）及び（Ｆ））。
【００１６】
このようにして信号レベル保持用のコンデンサＣｓ２にしきい値電圧Ｖｔｈを設定すると、このディスプレイ装置３１は、トランジスタＴＲ３によりトランジスタＴＲ２のソースを基準電圧に接続したままの状態で、制御信号ａｚの立ち下げにより、トランジスタＴＲ５によるダイオード接続を中止し、またトランジスタＴＲ６によるカップリング用のコンデンサＣｓ１の基準電圧への接続を中止する（図１２（Ｂ）及び図１３（Ｄ））。また続いて、書き込み信号ｗｓの立ち上げによりトランジスタＴＲ１を制御して信号線ＳＩＧをカップリング用のコンデンサＣｓ１に接続し、これにより信号レベル保持用のコンデンサＣｓ２のソース側端を基準電圧に保持した状態で、カップリング用のコンデンサＣｓ１を介して信号レベル保持用のコンデンサＣｓ２の端子電圧を信号線ＳＩＧの信号レベルＶｉｎにより設定し、これにより有機ＥＬ素子１２の駆動に供するトランジスタＴＲ２のゲートソース間電圧Ｖｇｓを設定する（図１２（Ｃ）及び図１３（Ｄ））。しかしてこの場合、事前に、信号レベル保持用のコンデンサＣｓ２に、トランジスタＴＲ２のしきい値電圧Ｖｔｈが設定されていることにより、信号レベル保持用のコンデンサＣｓ２においては、このしきい値電圧Ｖｔｈの分だけ高い電圧により端子間電圧が設定され、これにより（１）式による括弧内の−Ｖｔｈの項がキャンセルされるように設定されてトランジスタＴＲ２により有機ＥＬ素子１２を駆動することになり、これによりトランジスタＴＲ２のしきい値電圧Ｖｔｈのばらつきによる駆動電流のばらつきが防止される。
【００１７】
これによりディスプレイ装置３１では、トランジスタＴＲ１、ＴＲ３を元の設定に戻した後、トランジスタＴＲ４により電源Ｖｃｃの供給を開始することにより、このようにして設定された信号レベル保持用のコンデンサＣｓ２の端子間電圧により有機ＥＬ素子１２が電流駆動される（図１３（Ｅ））。
【００１８】
ディスプレイ装置３１では（図１１）、このような画素３３による表示部３２の構成に対応して、書き込み信号ｗｓを出力するライトスキャン回路２４Ａに加えて、このライトスキャン回路２４Ａによる書き込み信号ｗｓの出力に同期してドライブスキャン信号ｄｓ１、ドライブスキャン信号ｄｓ２、制御信号ａｚをそれぞれ出力するドライブスキャン回路（ＤＳＣＮ）３４Ｂ、ドライブスキャン回路（ＤＳＣＮ２）３４Ｃ、オートゼロ回路（ＺＥＲＯ）３４Ｄを垂直駆動回路３４に設ける。また水平駆動回路３５においては、これらの構成に対応するように駆動信号を生成する。
【００１９】
しかしてこのようにすれば、有機ＥＬ素子１２の経時変化、有機ＥＬ素子１２を駆動するトランジスタＴＲ２のしきい値電圧Ｖｔｈのばらつきによる画質劣化を防止し得することができる。
【００２０】
しかしながら図１４に示すように、カラーによるディスプレイ装置においては、一般に、赤色、緑色、青色の画素（ＰＸＲ）、（ＰＸＧ）、（ＰＸＢ）３３毎に、発光、非発光の期間を制御してカラーバランスを設定することにより、このように書き込み信号ｗｓ、ドライブスキャン信号ｄｓ１、ｄｓ２、制御信号ａｚにより各画素３３の階調を制御する場合、各色の画素３３毎に、発光、非発光の制御に係るドライブスキャン信号ｄｓ２を供給することが必要になり、これにより全体として６本の走査線ＳＣＮ、ＳＣＮ１、ＳＣＮ２Ｒ、ＳＣＮ２Ｇ、ＳＣＮ２Ｂ、ＳＣＮ３を設けることが必要になる。
【００２１】
これにより上述の構成においては、表示部３２において、走査線の数が増大し、これにより表示部３２のレイアウトが困難になり、高解像度化することが困難になる問題があった。特に、アモルファスシリコンによりこれらのトランジスタを作成する場合にあっては、トランジスタの移動度が小さいことにより、トランジスタを小型化することが困難な欠点があり、これにより一段と高解像度化が困難になる。
【特許文献１】ＵＳＰ５，６８４，３６５
【特許文献２】特開平８−２３４６８３号
【発明の開示】
【発明が解決しようとする課題】
【００２２】
本発明は以上の点を考慮してなされたもので、ソースフォロワ回路構成により発光素子を電流駆動するトランジスタに補正回路を設ける場合に、走査線の数を少なくすることができるディスプレイ装置、ディスプレイ装置の駆動方法を提案しようとするものである。
【課題を解決するための手段】
【００２３】
かかる課題を解決するため請求項１の発明においては、電流駆動による画素をマトリックス状に配置してなる表示部と、表示部を駆動する駆動回路とを有するディスプレイ装置に適用して、画素が、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、一端をトランジスタのゲートに接続したカップリング用のコンデンサと、カップリング用のコンデンサの他端を信号線に接続する信号線用のスイッチ回路と、トランジスタのソースを所定の基準電圧に接続するソース側基準電圧用のスイッチ回路と、トランジスタのゲートドレインを短絡させる短絡用のスイッチ回路と、カップリング用のコンデンサの他端を所定の基準電圧に接続するコンデンサ側基準電圧用のスイッチ回路と、トランジスタへの電源の供給を停止する電源用のスイッチ回路とを有し、駆動回路は、信号線のスイッチ回路の駆動により、カップリング用のコンデンサを介して信号線の信号レベルにより信号レベル保持用のコンデンサの端子電圧を設定し、該信号レベル保持用のコンデンサの端子間電圧によるゲートソース間電圧によりトランジスタで発光素子を電流駆動し、信号レベル保持用のコンデンサの端子電圧の設定において、電源用のスイッチ回路をオフ状態に設定する前に、コンデンサ側基準電圧用のスイッチ回路、短絡用のスイッチ回路、ソース側基準電圧用のスイッチ回路をオン状態に設定し、電源用のスイッチ回路をオフ状態に設定した後、コンデンサ側基準電圧用のスイッチ回路、短絡用のスイッチ回路、ソース側基準電圧用のスイッチ回路をオフ状態に設定すると共に、信号線のスイッチ回路をオン状態に設定することにより、前記信号レベル保持用のコンデンサの端子間電圧を前記トランジスタのしきい値電圧以上に立ち上げてから、信号レベル保持用のコンデンサの端子間電圧をトランジスタのしきい値電圧に設定すると共に、信号レベル保持用のコンデンサのトランジスタのソース側端を一定電位に設定した後、信号線の信号レベルにより、信号レベル保持用のコンデンサの端子電圧を設定し、コンデンサ側基準電圧用のスイッチ回路、短絡用のスイッチ回路、ソース側基準電圧用のスイッチ回路のオンオフ制御を、同一の制御信号により実行する。
【００２４】
また請求項３の発明においては、電流駆動による画素をマトリックス状に配置してなるディスプレイ装置に適用して、画素が、発光素子と、ゲートソース間に信号レベル保持用のコンデンサを保持し、信号線の信号レベルにより設定された信号レベル保持用のコンデンサの端子間電圧によるゲートソース間電圧により発光素子を駆動するソースフォロワ回路によるトランジスタと、一端をトランジスタのゲートに接続したカップリング用のコンデンサと、トランジスタのソースを一時的に所定の基準電圧に接続することにより、信号レベル保持用のコンデンサのソース側端を一定電圧に設定するソース側基準電圧用のスイッチ回路と、ソース側基準電圧用のスイッチ回路と同一の制御信号により動作して、カップリング用のコンデンサの他端を所定の基準電圧に接続するコンデンサ側基準電圧用のスイッチ回路と、ソース側基準電圧用のスイッチ回路と同一の制御信号により動作して、トランジスタのゲートドレインを短絡させる短絡用のスイッチ回路と、短絡用のスイッチ回路による基準電圧への接続に応動して、トランジスタへの電源の供給を停止し、信号線の信号レベルによる信号レベル保持用のコンデンサの端子電圧の設定によりトランジスタへの電源の供給を開始する電源用のスイッチ回路と、電源用のスイッチ回路による電源の供給が停止される前に、ソース側基準電圧用のスイッチ回路、コンデンサ側基準電圧用のスイッチ回路、短絡用のスイッチ回路がオン状態に設定され、その後、電源用のスイッチ回路による電源の供給を停止することにより、前記信号レベル保持用のコンデンサの端子間電圧を前記トランジスタのしきい値電圧以上に立ち上げてから、信号レベル保持用のコンデンサの端子間電圧をトランジスタのしきい値電圧に設定すると、カップリング用のコンデンサの他端を信号線に接続し、カップリング用のコンデンサを介して信号レベル保持用のコンデンサの端子電圧を信号線の信号レベルにより設定する信号線用のスイッチ回路とを備えるようにする。
【００２５】
また請求項５の発明においては、有機ＥＬ素子による画素をマトリックス状に配置してなるディスプレイ装置に適用して、画素が、有機ＥＬ素子と、ゲートソース間に信号レベル保持用のコンデンサを保持し、信号線の信号レベルにより設定された信号レベル保持用のコンデンサの端子間電圧によるゲートソース間電圧により有機ＥＬ素子を駆動するソースフォロワ回路によるトランジスタと、一端をトランジスタのゲートに接続したカップリング用のコンデンサと、トランジスタのソースを一時的に所定の基準電圧に接続することにより、信号レベル保持用のコンデンサのソース側端を一定電圧に設定するソース側基準電圧用のスイッチ回路と、ソース側基準電圧用のスイッチ回路と同一の制御信号により動作して、カップリング用のコンデンサの他端を所定の基準電圧に接続するコンデンサ側基準電圧用のスイッチ回路と、ソース側基準電圧用のスイッチ回路と同一の制御信号により動作して、トランジスタのゲートドレインを短絡させる短絡用のスイッチ回路と、短絡用のスイッチ回路による基準電圧への接続に応動して、トランジスタへの電源の供給を停止し、信号線の信号レベルによる信号レベル保持用のコンデンサの端子電圧の設定によりトランジスタへの電源の供給を開始する電源用のスイッチ回路と、電源用のスイッチ回路による電源の供給が停止される前に、ソース側基準電圧用のスイッチ回路、コンデンサ側基準電圧用のスイッチ回路、短絡用のスイッチ回路がオン状態に設定され、その後、電源用のスイッチ回路による電源の供給を停止することにより、前記信号レベル保持用のコンデンサの端子間電圧を前記トランジスタのしきい値電圧以上に立ち上げてから、信号レベル保持用のコンデンサの端子間電圧をトランジスタのしきい値電圧に設定すると、カップリング用のコンデンサの他端を信号線に接続し、カップリング用のコンデンサを介して信号レベル保持用のコンデンサの端子電圧を信号線の信号レベルにより設定する信号線用のコンデンサとを備えるようにする。
【００２６】
また請求項７の発明においては、電流駆動による画素をマトリックス状に配置してなる表示部を有するディスプレイ装置の駆動方法に適用して、画素が、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、一端をトランジスタのゲートに接続したカップリング用のコンデンサと、カップリング用のコンデンサの他端を信号線に接続する信号線用のスイッチ回路と、トランジスタのソースを所定の基準電圧に接続するソース側基準電圧用のスイッチ回路と、トランジスタのゲートドレインを短絡させる短絡用のスイッチ回路と、カップリング用のコンデンサの他端を所定の基準電圧に接続するコンデンサ側基準電圧用のスイッチ回路と、トランジスタへの電源の供給を停止する電源用のスイッチ回路とを有し、ディスプレイ装置の駆動方法は、信号線のスイッチ回路の駆動により、カップリング用のコンデンサを介して信号線の信号レベルにより信号レベル保持用のコンデンサの端子間電圧を設定し、該信号レベル保持用のコンデンサの端子電圧によるゲートソース間電圧によりトランジスタで発光素子を電流駆動し、信号レベル保持用のコンデンサの端子電圧の設定において、電源用のスイッチ回路をオフ状態に設定する前に、コンデンサ側基準電圧用のスイッチ回路、短絡用のスイッチ回路、ソース側基準電圧用のスイッチ回路をオン状態に設定し、前記電源用のスイッチ回路をオフ状態に設定した後、コンデンサ側基準電圧用のスイッチ回路、短絡用のスイッチ回路、ソース側基準電圧用のスイッチ回路をオフ状態に設定すると共に、信号線のスイッチ回路をオン状態に設定することにより、前記信号レベル保持用のコンデンサの端子間電圧を前記トランジスタのしきい値電圧以上に立ち上げてから、信号レベル保持用のコンデンサの端子間電圧をトランジスタのしきい値電圧に設定すると共に、信号レベル保持用のコンデンサのトランジスタのソース側端を一定電位に設定した後、信号線の信号レベルにより、信号レベル保持用のコンデンサの端子電圧を設定し、コンデンサ側基準電圧用のスイッチ回路、短絡用のスイッチ回路、ソース側基準電圧用のスイッチ回路のオンオフ制御を、同一の制御信号により実行する。
【００２７】
請求項１の構成によれば、信号線のスイッチ回路の駆動により、カップリング用のコンデンサを介して信号線の信号レベルにより信号レベル保持用のコンデンサの端子電圧を設定し、該信号レベル保持用のコンデンサの端子電圧によるゲートソース間電圧によりトランジスタで発光素子を電流駆動することにより、発光素子の電圧電流特性が変化した場合でも、駆動電流の変化を防止し得、これにより駆動電流の変化により画質劣化を防止することができる。またこのような信号レベル保持用のコンデンサの端子電圧の設定において、信号レベル保持用のコンデンサの端子間電圧をトランジスタのしきい値電圧に設定すると共に、信号レベル保持用のコンデンサのトランジスタのソース側端を一定電位に設定した後、信号線の信号レベルにより、信号レベル保持用のコンデンサの端子電圧を設定することにより、トランジスタのしきい値電圧のばらつきによる駆動電流のばらつきについても防止することができる。
【００２８】
しかして請求項１の構成においては、この信号レベル保持用のコンデンサに係る信号線による設定が、前記電源用のスイッチ回路をオフ状態に設定する前に、コンデンサ側基準電圧用のスイッチ回路、短絡用のスイッチ回路、ソース側基準電圧用のスイッチ回路をオン状態に設定し、電源用のスイッチ回路をオフ状態に設定した後、コンデンサ側基準電圧用のスイッチ回路、短絡用のスイッチ回路、ソース側基準電圧用のスイッチ回路をオフ状態に設定すると共に、信号線のスイッチ回路をオン状態に設定して、コンデンサ側基準電圧用のスイッチ回路、トランジスタ用のスイッチ回路、ソース側基準電圧用のスイッチ回路のオンオフ制御を、同一の制御信号により実行することにより、制御信号の供給に供する走査線の数を少なくして、一連の処理を実行することができる。
【００２９】
これにより請求項３、請求項５及び請求項７の構成によれば、ソースフォロワ回路構成により発光素子を電流駆動するトランジスタに補正回路を設けるようにしても、走査線の数の増大を防止することができるディスプレイ装置及びディスプレイ装置の駆動方法を提供することができる。
【発明の効果】
【００３０】
本発明によれば、ソースフォロワ回路構成により発光素子を電流駆動するトランジスタに補正回路を設ける場合に、走査線の数を少なくすることができる。
【発明を実施するための最良の形態】
【００３１】
以下、適宜図面を参照しながら本発明の実施例を詳述する。
【実施例１】
【００３２】
（１）実施例の構成
図２は、図１４との対比により本発明の実施例１に係るディスプレイ装置を示すブロック図である。このディスプレイ装置４１において、表示部５２は、電流駆動による赤色、緑色、青色の画素（ＰＸＲ、ＰＸＧ、ＰＸＢ）５３がマトリックス状に配置され、これらの画素５３に対して、５本の走査線ＳＣＮ、ＳＣＮ２Ｒ、ＳＣＮ２Ｇ、ＳＣＮ２Ｂ、ＳＣＮ３がライン単位で水平方向に設けられる。またこれらの走査線ＳＣＮ、ＳＣＮ２Ｒ、ＳＣＮ２Ｇ、ＳＣＮ２Ｂ、ＳＣＮ３と直交するように信号線ＳＩＧが各列毎に垂直方向に設けられる。このようにして形成されてなる表示部５２に対して、ディスプレイ装置５１は、垂直駆動回路５４により走査線ＳＣＮ、ＳＣＮ２Ｒ、ＳＣＮ２Ｇ、ＳＣＮ２Ｂ、ＳＣＮ３を駆動して順次ライン単位で画素５３に設けられた画素回路の動作を制御すると共に、この画素回路の制御に対応するように水平駆動回路５５により信号線ＳＩＧを駆動して各画素５３の階調を設定するようになされている。
【００３３】
このため垂直駆動回路５４は、各画素５３への書き込みをライン単位で順次指示する書き込み信号ｗｓをライトスキャン回路（ＷＳＣＮ）５４Ａにより生成し、またこの書き込み信号ｗｓに同期して各画素５３の発光、非発光を制御するドライブスキャン信号ｄｓ２をドライブスキャン回路（ＤＳＣＮ２）５４Ｃにより生成し、これら書き込み信号ｗｓ、ドライブスキャン信号ｄｓ２を走査線ＳＣＮ、ＳＣＮ２Ｒ、ＳＣＮ２Ｇ、ＳＣＮ２Ｂに出力して各画素５３における階調の設定を制御するようになされている。また有機ＥＬ素子のしきい値電圧Ｖｔｈの補正を指示する制御信号ａｚをオートゼロ回路（ＺＥＲＯ）５４Ｄにより生成し、この制御信号ａｚを走査線ＳＣＮ３に出力するようになされている。またこのような制御において、ドライブスキャン信号ｄｓ２については、赤色、緑色、青色の画素５３毎に生成してそれぞれ対応する画素５３の走査線ＳＣＮ２Ｒ、ＳＣＮ２Ｇ、ＳＣＮ２Ｂに出力し、これによりこのディスプレイ装置５１では、赤色、緑色、青色の各画素５３における発光、非発光の制御により、カラーバランスを調整するようになされている。
【００３４】
また水平駆動回路５５においては、各画素５３の階調を指示する階調データＤ１に応じて駆動信号を生成し、この駆動信号を水平セレクタ（ＨＳＥＬ）５５Ａにより各信号線ＳＩＧに振り分けて出力するようになされている。
【００３５】
図１は、図１１との対比によりこのディスプレイ装置５１に係る各画素５３を示す接続図である。このディスプレイ装置５１に係る画素５３においては、トランジスタＴＲ２のソースを基準電圧に接続するトランジスタＴＲ３によるスイッチ回路が、トランジスタＴＲ５、ＴＲ６の制御に供する制御信号ａｚにより制御される点、この制御信号ａｚによる制御に対応して垂直駆動回路５４による各トランジスタＴＲ１〜ＴＲ６の駆動のタイミングが異なる点を除いて、図１１について上述した画素３３と同一に構成される。
【００３６】
これによりこの実施例においては、このトランジスタＴＲ３に係るドライブパルス信号ｄｓ１の走査線を省略して、その分、走査線の数を少なくすることができるようになされ、また各画素４３の構成を簡略化できるようになされている。なお画素５３を構成するトランジスタＴＲ１〜ＴＲ６は、ｎチャンネルＭＯＳ型のＴＦＴであり、水平駆動回路５５、垂直駆動回路５４と共にガラス基板上に、アモルファスプロセスにより一体に作成されるようになされている。
【００３７】
これらにより各画素５３においては、図３及び図４（Ａ）に示すように、信号レベル保持用のコンデンサＣｓ２の端子間電圧によるゲートソース間電圧ＶｇｓによりトランジスタＴＲ２で有機ＥＬ素子１２を電流駆動し、有機ＥＬ素子１２の電圧電流特性が経時変化した場合であっても、この経時変化による駆動電流の変化を防止して画質劣化を防止することができるようになされている（図３（Ｄ）及び（Ｅ））。
【００３８】
しかしてこのようにしてトランジスタＴＲ２により有機ＥＬ素子１２を駆動して、この画素５３に係る水平走査期間の前後、所定期間の間、このディスプレイ装置５１では、ドライブパルス信号ｄｓ２が立ち下げられて有機ＥＬ素子１２の発光が停止され（図３（Ｃ））、さらにこのドライブパルス信号ｄｓ２による有機ＥＬ素子１２の発光を停止する期間が、赤色、緑色、青色の画素５３毎に設定されて所望のカラーバランスに設定されるようになされている。
【００３９】
このディスプレイ装置５１では、このようにしてドライブパルス信号ｄｓ２を立ち下げる直前で、制御信号ａｚが立ち上げられ、これによりトランジスタＴＲ６によりカップリング用のコンデンサＣｓ２の信号線側端が基準電圧に接続される。またトランジスタＴＲ５によりトランジスタＴＲ２のゲートドレインが短絡されてトランジスタＴＲ２がダイオード接続とされ、さらにトランジスタＴＲ３によりこのトランジスタＴＲ２のソースが基準電圧に接続される（図３（Ｂ）及び図４（Ｂ））。これによりディスプレイ装置５１では、それまで信号レベル保持用のコンデンサＣｓ２の端子間電圧がトランジスタＴＲ２のしきい値電圧Ｖｔｈ以下に設定されて黒レベルによる階調を表示していた場合であっても、トランジスタＴＲ２のゲートソース間電圧ＶｇｓをトランジスタＴＲ２のしきい値電圧Ｖｔｈ以上に一旦立ち上げるようになされ（図３（Ｄ）及び（Ｅ））、その後、トランジスタＴＲ２への電源Ｖｃｃの供給を停止するようになされている。
【００４０】
しかして電源Ｖｃｃの供給を停止することにより（図４（Ｃ））、トランジスタＴＲ２においては、有機ＥＬ素子１２に保持された電荷がトランジスタＴＲ３により放電してソース電圧Ｖｓが基準電位（アース電位）に立ち下がる。またゲート電圧Ｖｇにおいては、このソース電圧Ｖｓの立ち下がりにより、さらには蓄積電荷の放電により徐々に降下し、ゲートソース間電圧ＶｇｓがトランジスタＴＲ２のしきい値電圧Ｖｔｈになると、トランジスタＴＲ２のカットオフにより電圧の降下が停止する。これにより信号レベル保持用のコンデンサＣｓ２においては、ソース側の端子電圧が基準電圧（アース電位）に保持されて、端子間電圧がトランジスタＴＲ２のしきい値電圧Ｖｔｈに設定される（図３（Ｄ）及び（Ｅ））。
【００４１】
ディスプレイ装置５１では、続いて制御信号ａｚが立ち下げられ、トランジスタＴＲ３、ＴＲ５、ＴＲ６がオフ状態に設定された後、書き込み信号ｗｓの立ち上げによりカップリングコンデンサＣｓ１が信号線ＳＩＧに接続され、これによりトランジスタＴＲ２のゲートがカップリング用のコンデンサＣｓ１を介して信号線ＳＩＧに接続され、この信号線ＳＩＧの信号レベルにより信号レベル保持用のコンデンサＣｓ２の充電が開始される。これにより信号レベル保持用のコンデンサＣｓ２は、（２）式の関係式による電圧に充電され、端子電圧が信号線ＳＩＧの信号レベルＶｉｎにより設定される。
【００４２】
なおここでこの画素５３においては、この信号レベル保持用のコンデンサＣｓ１のソース側端を基準電圧に接続するトランジスタＴＲ３がトランジスタＴＲ５、ＴＲ６と同一の制御信号ａｚにより制御されることにより、このように信号レベル保持用のコンデンサＣｓ２を信号線ＳＩＧの信号レベルＶｉｎにより設定している期間の間、この信号レベル保持用のコンデンサＣｓ１のソース側端においては、端子間電圧がしきい値電圧以下に設定されてオフ状態に設定されてなる有機ＥＬ素子１２を介してのみ接地され、これによりこの有機ＥＬ素子１２のアノードカーソード間の容量Ｃｏｅｌ（図４（Ｄ））により接地されていることになる。
【００４３】
しかしてこの有機ＥＬ素子１２におけるアノードカーソード間の容量Ｃｏｅｌにおいては、信号レベル保持用のコンデンサＣｓ２の容量に比して格段的に大きく（約２０倍以上）、これにより信号レベル保持用のコンデンサＣｓ２を信号線ＳＩＧの信号レベルＶｉｎにより設定する場合にあっては、この信号レベル保持用のコンデンサＣｓ２のソース側端においては、アース電位に保持し続けることができ、これによりこの実施例においては、信号レベル保持用のコンデンサＣｓ２の端子間電圧を（２）式で表される電圧に精度良く設定することができるようになされている。
【００４４】
しかしてこのようにして設定されてなる信号レベル保持用のコンデンサＣｓ２の端子間電圧においては、事前に、トランジスタＴＲ２のしきい値電圧Ｖｔｈが設定されていることによりトランジスタＴＲ２のしきい値電圧ＶｔｈのばらつきをキャンセルするようにしてトランジスタＴＲ２により有機ＥＬ素子１２を駆動することができる。これによりディスプレイ装置５１は、書き込み信号ｗｓを立ち下げた後、ドライブスキャン信号ｄｓ２を立ち上げてトランジスタＴＲ２への電源の供給を開始して（図４（Ｅ））、有機ＥＬ素子１２の経時変化、トランジスタＴＲ２のしきい値電圧Ｖｔｈのばらつきによる画質の劣化を有効に回避して、高いユニフォーミティーの画像を表示することができるようになされている。
【００４５】
（２）実施例の動作
以上の構成において、このディスプレイ装置５１は（図２）、垂直駆動回路５４による走査線ＳＣＮ、ＳＣＮ２Ｒ、ＳＣＮ２Ｇ、ＳＣＮ２Ｂ、ＳＣＮ３の駆動により順次ライン単位で表示部５２の画素５３が選択され、またこの画素５３の選択により水平駆動回路５５により駆動される信号線ＳＩＧの信号レベルが各画素５３に設定される。ディスプレイ装置５１は、この各画素５３に設定した信号レベルにより各画素５３が発光して所望の画像が表示される。
【００４６】
ディスプレイ装置５１では、各画素５３において、有機ＥＬ素子１２を駆動するソースフォロワ回路構成のトランジスタＴＲ２のゲートソース間に信号レベル保持用のコンデンサＣｓ１が設けられ、トランジスタＴＲ１によるスイッチ回路によりカップリング用のコンデンサＣｓ２を信号線ＳＩＧに接続することにより、このカップリング用のコンデンサＣｓ１を介して信号線ＳＩＧの信号レベルＶｉｎがこの信号レベル保持用のコンデンサＣｓ２に設定される。またこのようにして設定した信号レベル保持用のコンデンサＣｓ２によるゲートソース間電圧ＶｇｓによりトランジスタＴＲ２で有機ＥＬ素子１２が電流駆動される。これによりディスプレイ装置５１においては、有機ＥＬ素子１２の電圧電流特性の経時変化による駆動電流の変化を防止し得、有機ＥＬ素子１２の経時変化による画質の劣化を有効に回避することができる。また各５３画素をｎチャンネル型ＭＯＳトランジスタにより形成し、またトランジスタＴＲ２によるアノード側より有機ＥＬ素子１２を駆動することができ、これらによりアモルファスシリコンのプロセスを適用して有機ＥＬ素子と画素回路とをガラス基板上に一体に形成することができる。
【００４７】
ディスプレイ装置５１では、このような信号線ＳＩＧの信号レベルＶｉｎによる信号レベル保持用のコンデンサＣｓ２の端子電圧の設定において、トランジスタＴＲ２を電源に接続したまま、制御信号ａｚによりトランジスタＴＲ３、ＴＲ５、ＴＲ６をまとめてオン状態に設定して、トランジスタＴＲ２がダイオード接続に設定されると共に、カップリング用のコンデンサＣｓ１の信号線側端が基準電圧に接続され、また信号レベル保持用のコンデンサＣｓ２のソース側端が基準電圧に接続され、その後、トランジスタＴＲ４によりトランジスタＴＲ２への電源Ｖｃｃの供給が停止され、これらにより信号レベル保持用のコンデンサＣｓ２の端子間電圧がトランジスタＴＲ２のしきい値電圧Ｖｔｈに設定される。
【００４８】
またその後、トランジスタＴＲ３、ＴＲ５、ＴＲ６がオフ状態に設定された後、書き込み信号ｗｓによりトランジスタＴＲ１がオン状態に設定されて信号線ＳＩＧにカップリング用のコンデンサＣｓ１が接続され、これにより事前にトランジスタＴＲ２のしきい値電圧Ｖｔｈを設定してなる信号レベル保持用のコンデンサＣｓ２に信号線ＳＩＧの信号レベルＶｉｎが設定される。
【００４９】
これによりこのディスプレイ装置５１では、このようにして設定された信号レベル保持用のコンデンサＣｓ２の端子間電圧をゲートソース間電圧Ｖｇｓに設定してなるソースフォロワ回路によるトランジスタＴＲ２により有機ＥＬ素子１２が電流駆動され、トランジスタＴＲ２のしきい値電圧Ｖｔｈのばらつきによる駆動電流のばらつきが防止され、画質劣化が有効に回避される。
【００５０】
しかしてこのように信号線ＳＩＧの信号レベルＶｉｎにより信号レベル保持用のコンデンサＣｓ２の端子電圧を設定する際に、信号レベル保持用のコンデンサＣｓ２のソース側端にあっては、このコンデンサＣｓ２の容量に比して格段的に容量の大きな有機ＥＬ素子１２により接地されて一定の電位に保持される。これによりこの実施例においては、トランジスタＴＲ３をトランジスタＴＲ５、ＴＲ６と同一の制御信号ａｚにより制御して、確実に信号線ＳＩＧの信号レベルＶｉｎにより信号レベル保持用のコンデンサＣｓ２の端子間電圧を設定することができ、これによりこのように有機ＥＬ素子１２の経時変化、トランジスタＴＲ２のしきい値電圧Ｖｔｈのばらつきを補正する構成を設ける場合に、このトランジスタＴＲ３に係る走査線の数を少なくすることができる。
【００５１】
これによりディスプレイ装置５１では、この走査線の数を少なくした分、画素を高密度に配置して高解像度化することができる。また１つの画素をレイアウトする面積を拡大できることにより、移動度の低いアモルファスシリコンＴＦＴにより各画素を構成する場合にあっても、高解像度化することができる。またこの走査線に対応するドライブスキャン回路を省略できることにより、その分、垂直駆動回路の構成を簡略化し得、またその分、狭額縁化することもできる。
【００５２】
（３）実施例の効果
以上の構成によれば、ソースフォロワ回路構成により発光素子である有機ＥＬ素子１２を電流駆動するトランジスタＴＲ２に対して、このトランジスタＴＲ２のゲートソース間に設けられた信号レベル保持用のコンデンサＣｓ２にトランジスタＴＲ２のしきい値電圧Ｖｔｈを設定した後、信号線ＳＩＧの信号レベルＶｉｎを設定することにより、トランジスタＴＲ２のばらつきを補正して階調を設定するようにして、このコンデンサＣｓ２へのトランジスタＴＲ２のしきい値電圧Ｖｔｈの設定に供する複数のスイッチ回路ＴＲ３、ＴＲ５、ＴＲ６を１つの制御信号ａｚにより制御することにより、走査線の数を少なくすることができる。
【実施例２】
【００５３】
図５は、図２との対比により本発明の実施例２に係るディスプレイ装置を示すブロック図である。このディスプレイ装置７１は、発光、非発光を制御するドライブスキャン信号ｄｓ２が赤色、緑色、青色の画素（ＰＸＲ、ＰＸＧ、ＰＸＢ）７３で共用化され、その分走査線の数が低減される。またこれに対応して、図６に示すように、赤色、緑色、青色の画素７３において、それぞれ有機ＥＬ素子１２を電流駆動するトランジスタＴＲ２の大きさが、これら赤色、緑色、青色の画素が発光して所望するカラーバランスを確保できるように、このカラーバランスに対応する比率に設定される。
【００５４】
このディスプレイ装置７１は、このドライブスキャン信号ｄｓ２の共用化に係る構成を除いて、実施例１に係るディスプレイ装置５１と同一に構成され、これにより一段と走査線の数を少なくして、簡易に高解像度化できるようになされている。
【実施例３】
【００５５】
なお上述の実施例においては、アモルファスシリコンのプロセスを適用してＥＬ素子と画素回路とをガラス基板上に一体に形成する場合について述べたが、本発明はこれに限らず、ポリシリコンによりトランジスタを作成する場合、さらには表示部と別体にシリコン基板により駆動回路と作成して表示部と接続、一体化する場合等にも広く適用することができる。
【００５６】
また上述の実施例においては、有機ＥＬ素子による発光素子を電流駆動する場合について述べたが、本発明はこれに限らず、電流駆動に係る種々の発光素子によるディスプレイ装置に広く適用することができる。
【産業上の利用可能性】
【００５７】
本発明は、ディスプレイ装置及びディスプレイ装置の駆動方法に関し、例えば有機ＥＬ表示装置等の電流駆動による自発光の表示装置に適用することができる。
【図面の簡単な説明】
【００５８】
【図１】本発明の実施例１に係るディスプレイ装置の画素回路を周辺構成と共に示す接続図である。
【図２】図１の画素回路によるディスプレイ装置を示すブロック図である。
【図３】図１の画素回路の動作の説明に供するタイムチャートである。
【図４】図３のタイムチャートの説明に供する接続図である。
【図５】本発明の実施例２に係るディスプレイ装置を示すブロック図である。
【図６】図５のディスプレイ装置の画素回路を周辺構成と共に示す接続図である。
【図７】ディスプレイ装置の構成を示すブロック図である。
【図８】図７のディスプレイ装置の画素回路を周辺構成と共に示す接続図である。
【図９】有機ＥＬ素子の特性を示す特性曲線図である。
【図１０】有機ＥＬ素子の動作点の変化の説明に供する特性曲線図である。
【図１１】ソースフォロワ回路構成による画素回路を周辺構成と共に示す接続図である。
【図１２】図１１の画素回路の動作の説明に供するタイムチャートである。
【図１３】図１２のタイムチャートの説明に供する接続図である。
【図１４】図１１の画素によるディスプレイ装置を示すブロック図である。
【符号の説明】
【００５９】
１、１１、３１、５１、７１……ディスプレイ装置、２、３２、５２、７２……表示部、３、３３、５３、７３……画素、４、３４、５４、７４……垂直駆動回路、４Ａ、３４Ａ、５４Ａ、７４Ａ……ライトスキャン回路、５、３５、５５、７５……水平駆動回路、１２……有機ＥＬ素子、３４Ｂ、３４Ｃ、５４Ｃ、７４Ｃ……ドライブスキャン回路、３４Ｄ、５４Ｄ、７４Ｄ……オートゼロ回路、Ｃ１、Ｃｓ１、Ｃｓ２……コンデンサ、ＴＲ１〜ＴＲ６……トランジスタ
【図１】
0004810790.tif 000002
【図２】
0004810790.tif 000003
【図３】
0004810790.tif 000004
【図４】
0004810790.tif 000005
【図５】
0004810790.tif 000006
【図６】
0004810790.tif 000007
【図７】
0004810790.tif 000008
【図８】
0004810790.tif 000009
【図９】
0004810790.tif 000010
【図１０】
0004810790.tif 000011
【図１１】
0004810790.tif 000012
【図１２】
0004810790.tif 000013
【図１３】
0004810790.tif 000014
【図１４】
0004810790.tif 000015